(57)【要約】【課題】天井面や壁面に取り付けられる、ワイヤレス機器において、電池の交換を容易にし、かつ取替え時に不用意に脱落させない構造にする。【解決手段】天井面や壁面に取り付けられるベース部Ｃに電池収容部Ｂを形成し、その電池収容部Ｂには、内部に電池Ｄを収容させ、電池Ｄと上記ベース部Ｃとの間で通電を可能とした電池ケースＡを、着脱可能に嵌入れる構造にしている。【選択図】  図１
2005267436.tif 000002
【特許請求の範囲】
【請求項１】
天井面や壁面に取り付けられるベース部に電池収容部を形成し、
その電池収容部には、内部に電池を収容させ、該電池と上記ベース部との間で通電を許容させる構造とした電池ケースを、着脱可能に嵌入れる構造にしている、ワイヤレス機器。
【請求項２】
請求項１において、
上記電池収容部は、押さえバネと、係止受け部とを対設しており、
上記電池ケースは、その一端は、上記押えバネで押圧され、その他端には、上記係止受け部に対応させる係止部を形成している、ワイヤレス機器。
【請求項３】
請求項１、２のいずれかにおいて、
上記電池ケースは、その本体ケースの一方の面に開口孔を形成するとともに、上記電池収容部には、その開口孔より電池ケース内に挿入されて、上記電池と接触する導電性押さえバネを設けており、この導電性押さえバネを通じて、電池ケースからベース部への通電がなされている、ワイヤレス機器。
【請求項４】
請求項３において、
上記電池ケースは、上記開口孔に代えて、対応する部分に誘い込みリブを形成している、ワイヤレス機器。
【請求項５】
請求項１〜４のいずれかにおいて、
上記電池収容部は、上記電池ケースの挿入をガイドするための傾斜部を形成した保持枠体を突設している、ワイヤレス機器。
【請求項６】
請求項５において、
上記保持枠体には、電池ケースを受け止め支持する支持部を上記傾斜部に延設している、ワイヤレス機器。  
【請求項７】
請求項１〜６のいずれかにおいて、
上記ワイヤレス機器は、上記ベース部に、ヘッド部が被せられて結合される構造になっており、
上記電池ケースの底面、上記ヘッド部の電池ケースの底面と対応する部位の少なくも一方には突部を設け、
上記ベース部と上記ヘッド部とが結合されるときには、上記突部で電池ケースの底面を押圧支持することで、上記電池ケースを上記電池収容部へ嵌め入れる構造にしている、ワイヤレス機器。
【請求項８】
請求項１〜６のいずれかにおいて、
上記ワイヤレス機器は、上記ベース部に、ヘッド部が被せられて結合される構造になっており、
上記ヘッド部には、上記電池ケースの底面と対応する箇所には、支持面を形成しており、
上記ベース部と上記ヘッド部とが結合されるときには、上記支持面で電池ケースの底面を押圧支持することによって、上記電池ケースを上記電池収容部へ嵌め入れる構造にしている、ワイヤレス機器。
【請求項９】
請求項１において、
上記電池収容部は、複数の係入孔を対設しており、
上記電池ケースは、その本体ケースには、上記係止受け部に弾発係止される複数の係止爪を対応して形成している、ワイヤレス機器。
【請求項１０】
請求項１において、
上記電池ケースと、上記ベース部とは、通電ケーブルを介して互いに、着脱可能に結線される構造にしている、ワイヤレス機器。
【請求項１１】
請求項１において、
上記電池収容部と、上記電池ケースとは、少なくとも一方に磁石を設けて、その磁石の磁力を作用させて着脱可能に取り付ける構造としている、ワイヤレス送信器。
【請求項１２】
請求項１において、
上記電池収容部は、上記ベース部に形成した収容穴部に、上記電池ケースをスライドさせて挿脱させる構造にしている、ワイヤレス機器。
【請求項１３】
天井面や壁面に取り付けられるベース部に、電池を少なくとも内蔵させた内器ブロックを着脱可能に収容させたに構造にしている、ワイヤレス機器。
【請求項１４】
請求項１または１３において、
上記ベース部は、ヘッド部に着脱可能になっており、かつワイヤレス送信部を内蔵している、ワイヤレス機器。
【発明の詳細な説明】
【技術分野】
【０００１】
本発明は、防犯センサー、人体検知器、火災、熱、ガスなどの火災センサ等として、好適に使用されるワイヤレス機器に関し、特に、ベース本体部に形成した電池収容部に、電池を収容した電池ケースを着脱可能に嵌め入れるようにしたワイヤレス機器に関するものである。
【背景技術】
【０００２】
電池駆動型の防犯センサや人体検知等のワイヤレス機器は、下記の特許文献に見るように公知であるが、このような機器では、電池は、図３２に示すように、取付孔１０２を形成し、天井面や壁等に取り付けられるベース部１０１に、検知部や回路基板などの機能部を内蔵したヘッド部１０３を着脱可能に取り付け出来るようになっており、ヘッド部１０３には電池収容部１０４を設けているのが通例である。
しかしながら、ヘッド部１０３に設けた電池収容部１０４には、複数の電池１０５を１本づつ直接嵌め込むようになっているため、電池の取替えが面倒な上に、高所作業で電池を取替える際には、電池収容部１０４から電池１０５が不用意に脱落するおそれがあった。
【特許文献１】特開平７−１８２５７４号
【発明の開示】
【発明が解決しようとする課題】
【０００３】
本発明は、電池駆動型の従来のワイヤレス機器が上記問題点を有しているのに鑑みてなされたものであって、電池交換が容易かつ、確実に行え、電池の取替え作業時にも電池が不用意に脱落するおそれのないワイヤレス機器を提供することを目的としている。
【課題を解決するための手段】
【０００４】
本発明は、上記課題を解決するために提案されており、電池ケースや電池収容部の構造に特徴を有した、次のようなワイヤレス機器が提案されている。
すなわち、請求項１では、天井面や壁面に取り付けられるベース部に電池収容部を形成し、その電池収容部には、内部に電池を収容させ、該電池と上記ベース部との間で通電を許容させる構造とした電池ケースを、着脱可能に嵌入れる構造にしている。
【０００５】
さらに、請求項２〜４は、電池ケースと、電池収容部との組み合わせ構造に特徴を有し、電池の交換を容易にするとともに、電池の不用意な脱落を防止するものである。
すなわち、請求項２では、請求項１において、上記電池収容部は、押さえバネと、係止受け部とを対設し、上記電池ケースは、その一方端は、上記押えバネで押圧され、他端は上記係止受け部に対応させる係止部を形成している。
【０００６】
また、請求項３は、請求項１、２のいずれかにおいて、上記電池ケースは、その本体ケースの一方の面に開口孔を形成するとともに、上記電池収容部には、その開口孔より電池ケース内に挿入されて、上記電池と接触する導電性押さえバネを設けており、この導電性押さえバネを通じて、電池ケースからベース部への通電をなす構造にしている。
請求項４では、請求項３において、上記電池ケースは、上記開口孔に代えて、対応する部分に誘い込みリブを形成した構造になっている。
【０００７】
請求項５では、電池収容部は、電池ケースの挿入をガイドするための傾斜部を形成した保持枠体を突設しており、請求項６では、請求項５において、保持枠体には、電池ケースを受け止め支持する支持部を上記傾斜部に延設した構造にしている。
【０００８】
また、請求項７、８は、電池ケースの装着時の便宜を図るため、いずれも、電池ケースの電池収容部への嵌め入れ操作が十分でない場合でも、電池ケースの嵌入れを確実に行う構造としている。
すなわち、請求項７では、請求項１〜６のいずれかにおいて、上記ワイヤレス機器は、上記ベース部に、ヘッド部が被せられて結合される構造になっており、上記電池ケースの底面、上記ヘッド部の電池ケースの底面と対応する部位の少なくも一方には突部を設け、上記ベース部と上記ヘッド部とが結合されるときには、上記突部で電池ケースの底面を押圧支持することによって、上記電池ケースを上記電池収容部へ確実に嵌め入れる構造にしている。
【０００９】
また、請求項８では、請求項１〜６のいずれかにおいて、上記ワイヤレス機器は、上記ベース部に、ヘッド部が被せられて結合される構造になっており、上記ヘッド部には、上記電池ケースの底面と対応する箇所には支持面を形成しており、上記ベース部と上記ヘッド部とが結合されるときには、この支持面で電池ケースの底面を押圧支持することによって、上記電池ケースを上記電池収容部へ確実に嵌め入れる構造になっている。
更に、請求項９〜１４は、電池ケース、電池収容部の構造を種々に変化させた、ワイヤレス機器が提案されている。
すなわち、請求項９では、請求項１において、上記電池収容部は、複数の係入孔を対設しており、上記電池ケースは、その本体ケースには、上記複数の係止受け部に弾発係止される複数の係止爪を対応して形成している。
【００１０】
また、請求項１０では、請求項１において、上記電池ケースとベース部とは、通電ケーブルを介在させて着脱可能に接続させる構造にしている。
さらに、請求項１１では、請求項１において、上記電池収容部と、上記電池ケースとは、少なくとも一方に磁石を設けて、その磁石の磁力を作用させて着脱可能に取り付ける構造としており、請求項１２では、請求項１において、上記電池収容部は、上記ベース部に形成した収容穴部に、上記電池ケースをスライドさせて挿脱させる構造にしている。
請求項１３は、天井面や壁面に取り付けられるベース部に、電池を少なくとも内蔵させた内器ブロックを着脱可能に収容させた構造になっている。
また、請求項１４は、請求項１や１３において、ベース部は、ベッド部と着脱可能な構造とされ、ワイヤレス送信器を内蔵した構造になっている。
【発明の効果】
【００１１】
請求項１〜１４に記載の発明によれば、いずれの構造も、電池を収容させた電池ケースを、ベース部の電池収容部に着脱可能に嵌め入れるようにしているので、基本効果として、電池の交換を簡単にでき、かつ電池取り替え時に不用意に電池が脱落することを防ぐことが出来る。
【００１２】
また、２〜４に記載の発明によれば、上記した基本の効果に加えて、電池ケースとベース部に設けた電池収容部に簡易な部材を追加したり、それらの形状を変化させるだけの構造で実現できるので構造が簡単であり、特に請求項３では、押えバネが導電性素材で構成されているので部品点数を軽減できる。
【００１３】
また、請求項５では、電池収容部の保持枠体には、電池ケースの挿入をガイドする傾斜部を形成しているので、電池ケースの挿入をスムーズに出来、請求項６では、傾斜部に加えて、挿入した電池ケースを平行に支持する支持部を設けているので、電池ケースを電池収容部に安定して保持でき、脱落も防止できる。
【００１４】
更に、請求項９，１０によれば、電池ケースの電池収容部への嵌め入れが十分でない場合であっても、ベース部をヘッド部に合体させたときには、電池ケースを正しく嵌め入れることが出来る。
また、請求項１３に記載の発明によれば、内器ブロックをベース部に挿入するだけの簡単な構造にでき、更に請求項１４に記載の発明によれば、ベース部にワイヤレス送信部を内蔵させているので、従来のヘッド部をベース部に取り付けるだけで、ワイヤレス機器として対応させることが出来、特に利便であり、応用性が広がる。
【発明を実施するための最良の形態】
【００１５】
以下、本発明に係るワイヤレス機器の種々の実施例を、図を参照しつつ説明する。
図１〜図１０は、ワイヤレス機器として、人体検知器に適用した例を示している。
図１は、電池ケースとベース部とを示す分解斜視図である。
ベース部Ｃには、ワイヤレス送信部が内蔵され、電池収容部Ｂを設けている。
電池ケースＡは、図１の上段に示すように、ケース本体１１内の一端側に左右一対の円形の開口孔１２、１２が形成され、他端側の内面に端子部材１３、１３´が取り付けられている。この電池ケースＡの開口孔１２を形成した面と反対する面には、図１の下段に示すように、左、右一対の傾斜部を形成した係止部１４、１４が設けられ、底面には取り外し用突片１５と、内部に収容した電池Ｄを露見させる複数の透孔１６が形成されている。
このような電池ケースＡによれば、電池Ｄ，Ｄの一方端を傾けて、ケース本体１１の開口孔から挿入させて収容できる。
【００１６】
ベース部Ｃに形成された電池収容部Ｂは、底面２２が形成され、ケース収納用保持枠２１と、係止受け部２４とが対向して設けられている。
また、保持枠２１の奥壁には左右一対の孔部２１ａ、２１ａが形成され、この孔部２１ａ、２１ａに導電性押さえバネ２５、２５が取り付けられ、この導電性押えバネ２５、２５を、電池ケースＡの開口孔１２を通じて電池Ｄ，Ｄの電極部と接触させて、ベース部Ｃとの通電がなされている。従って、この導電性押さえバネ２５は、通電端子として機能するとともに、電池ケースＡの開口孔１２に挿入されたときには、前述した係止受け部２４とともに、電池ケース固定手段として機能する。
【００１７】
図２、図３は電池ケースを示している。
図２の電池ケースＡは、ケース本体１１内には２個の電池Ｄ、Ｄが、それぞれの電極を異なる方向に向けて嵌め込まれていて、その前壁には、左、右一対の円形の開口孔１２、１２が形成されている。電池ケースＡは、後述するように、この左右一対の円形の開口孔１２、１２に、保持枠２１側に設けた導電性押さえバネ２５、２５を挿入し、かつ、電池収容部Ｂの反対側に設けた係止受け部２４、２４に、電池ケースＡ側に形成した係止部１４，１４を係止させて、電池収容部Ｂに収容固定されるようになっている。
このような構造によれば、電池ケースＡには、押さえバネに対応したバネ受け止め部を設ける必要がなく、開口孔１２，１２は押えバネ２５，２５を挿入する際の誘いとして作用し、導電性押さえバネ２５を電池Ｄの電極部に直接接触保持させるので通電も確実に行える。
【００１８】
図３の電池ケースＡ´は、図２に示した開口孔１２，１２に代えて、ケース本体１１内に収容した電池Ｄ，Ｄの電極を露見させるとともに、電池Ｄ，Ｄを支持するために誘い込みリブ１２Ａ、１２Ａが上向きに複数本形成されている。電池ケースＡの図で見えない内面には、導電材を向けて、電池Ｄ，Ｄの異なる電極同士を導通させており、その他の部分は、図２と同様な構造になっている。
【００１９】
図４、図５は、ベース部とヘッド部とを示している。
図４に示すように、ベース部Ｃには、その上側にワイヤレス機器の検知部や制御回路などの機能部を内蔵させたヘッド部Ｅが被せられ、結合されるようになっている。
ここに、ベース部Ｃの外周面には、結合されたヘッド部Ｅの回転を許容するためのロック解除釦３０を孔部３０ａより露見させており、この孔部３０ａの上側の周面には複数の目盛り３１ｂが形成され、ヘッド部Ｅの対向する箇所に１つの位置合わせ用細溝３１ａが形成されて位置合わせ部３１が構成されている。したがって、ヘッド部Ｅがベース部Ｃに合体された後は、治具などを挿入して、このロック解除釦３０を押圧保持することで、ヘッド部Ｅをベース部Ｃに対して適切な位置関係に回転させることができ、位置合わせ後は、ロック解除釦３０の押圧を解除すれば、ヘッド部Ｅを、その位置でベース部Ｃに固定することが出来る。
【００２０】
図６は、ベース部Ｃの裏面を示しており、裏面は平坦に形成され、その左右２箇所に、天井や壁等に取り付けられたビスを挿入して固定するための取付孔２６、２６が穿設されている。
【００２１】
図７は、電池ケースを収容しない状態を示したベース部の斜視図である。
電池収容部Ｂは、図７に示すように、ベース部Ｃの保持枠２１の下面には、左右で一対の押さえリブ２１ｂを突設して、電池ケースの挿入ガイドをなす傾斜部を構成している。
このような構造によれば、この押さえリブ２１ｂ、２１ｂの傾斜面で、後述するように、電池ケースＡを電池収容部Ｂにガイドすることができ、電池ケースＡが電池収容部Ｂに収容された後は、更に傾斜面に延設された支持面２２ａで電池ケースＡを平行に支持し、脱落しないように保持できる。
【００２２】
図８〜図１０は、電池ケースを電池収容部へ嵌め入れる要領を説明する図であり、図８は途中の状態を示す斜視図、図９は図８の概略断面図、図１０は電池ケースの電池収容部への嵌め入れが完了した状態を示す概略断面図である。
【００２３】
電池ケースＡを、ベース部Ｃの電池収容部Ｂに収納するには、図８、図９に示したように、電池ケースＡを斜め向きにし、一対の押えリブ２１ｂ、２１ｂの傾斜面で、開口孔１２，１２を形成した側をガイドし、更に、電池ケースＡを支持面に載せるようにして、電池収容部Ｂの保持枠２１内に嵌め込む。そして、電池ケースの一対の係止部１４が電池収容部Ｂに形成した一対の係止受け部２４に係入されるように、電池ケースＡの他方側を、電池収容部Ｂに押し込み電池ケースＡを水平向きにセットすれば、電池ケースＡの一端は、保持枠２１の支持面２２ａで平行に支持され、さらに他端は、一対の係止部１４，１４を電池収容部Ｂに対応して設けた一対の係止受け部２４、２４に係入され、保持される。
【００２４】
また、電池ケースＡを電池収容部Ｂから取り外すには、電池ケースＡの取り外し用突片１５に指を掛け、電池ケースＡを斜め向きにして、係止部１４の係止受け部２４への係入を解除すればよい。
このような構造によれば、電池Ｄは電池ケースＡに入れた状態でベース部Ｃの電池収容部Ｂに収納したり、取り外しが出来るので、電池をバラバラのまま１本づつ収容させたり、取り出したりすることがなく、収容作業の途中でも不用意に脱落させることがない。
【００２５】
図１１〜図１４は、電池収容部の他の構造を示している。
ここに、図１１は、ベース部の異なる構造を斜視図として示しており、図１２〜図１４は電池ケースの収容時の操作要領を示している。
すなわち、図１２は電池ケースＡをベース部Ｃに嵌め入れる前の状態、図１３は嵌め入れる途中の状態、図１４は電池ケースＡの嵌め入れを完了した状態を示している。
【００２６】
この図で示す電池収容部Ｂは、保持枠２１に外側に広がる開口縁を形成して、電池ケースの挿入時のガイドをなす傾斜部２１ｃと、挿入後は電池ケースＡの一端を平行に支持する支持面２２ａを形成している、脱落防止を図っており、このような開口縁２１ｃも、傾斜面に支持面２２ａが延設された構造となっており、図８〜図１０に示した構造と同様な作用効果がある。
【００２７】
図１５〜図１８は、電池ケースＡ、電池収容部Ｂの接続端子に特徴を有したものである。
図１〜図１０に示した例とは異なり、図１５〜図１８の例では、電池ケースＡには、開口孔１２は形成せずに、バネ受け止め部２３と、一組の接続端子１７，１７とを形成しており、これらの接続端子１７，１７に電池収容部Ｂの保持２１に形成した一組の接続端子２１ｄ、２１ｄに接続させて、通電可能にしている。また、電池収容部Ｂには、押えバネ２５´を設けるとともに、係止受け部２３を設けている。そして、電池ケースＡの開口孔１２と反対する面には、図２の電池ケースＡと同じような係止部１４を設けて、電池収容部Ｂの係止受け部に係止させるようにしている。
図例では、電池ケースＡ側の一組の接続端子１７，１７を、電池収容部Ｂ側に設けた一組の接続端子２１ｄ、２１ｄで挟み保持する構造にしているが、これらは逆転させてもよいし、また、双方の接続端子は図例のような構造には限定されないことはいうまでもない。例えば、電池ケースＡ側と電池収容部Ｂ側の接続端子を相互に接触させて、圧接保持させるような構造であってもよい。
また、電池ケースＡと電池収容部Ｂとを、このような接続端子同士で導通を図る場合には、押さえバネ２５´は、導電体である必要はない。
【００２８】
図１７は、図１５において、押えバネ２５´と接続端子２１ｄを設けた電池収容部Ｂの保持枠２１の縦断面図、図１８は、図１５において、電池収容部Ｂに電池ケースＡを収容させて、双方の接続端子１７，２１ｄを接続保持した状態を示す縦断面図を示している。
【００２９】
ついで、前述した電池収容部、電池ケースに加えて、電池ケースの嵌め込みを確実にする構造を説明する。
【００３０】
図１９、図２０は、その第一の実施例を示す図であり、図２１、図２２は、第二の実施例を示す図、図２３、図２４は、第三の実施例を示している。
【００３１】
第一の実施例では、ベース部Ｃの電池収容部Ｂに収容される電池ケースＡの底面に突片１８を突部として形成し、ヘッド部Ｅ側には電池ケースＡの底面と対向する側に、押圧支持面３２を形成している。
このような構造によれば、電池ケースＡが不十分な状態で電池収容部Ｂに嵌め入れられていても、ベース部Ｃにヘッド部Ｅを結合一体化させれば、ヘッド部Ｅ側に形成した押圧支持面３２で、電池ケースＡの底面に形成した突片１８を押圧支持することができるので、電池ケースＡの電池収容部Ｂへの嵌め入れを確実にして通電を確保出来る。なお、突片１８は、前述した取り外し用突片１５を兼用させてもよく、突起を設けたものであってもよい。
【００３２】
第二の実施例では、ヘッド部Ｃの電池ケースＡの底面と対向した対向面に突片３４を形成し、これで電池ケースＡの底面を押圧支持するようにしている。
このような構造によれば、電池ケースＡが不十分な状態で電池収容部Ｂに嵌め入れられている状態であっても、ベース部Ｃにヘッド部Ｅを結合一体化させたときには、ヘッド部側に形成した突片３４で電池ケースＡの底面を押圧支持するので、電池ケースＡの電池収容部Ｂへの嵌め入れを確実に出来る。
【００３３】
第三の実施例では、ヘッド部Ｃ内に設けた押圧支持面３２で電池ケースＡの底面を押圧支持するようにしている。
このような構造によれば、電池ケースＡが不十分な状態で電池収容部Ｂに嵌め入れられている状態であっても、ベース部Ｃにヘッド部Ｅを結合一体化させたときには、ヘッド部Ｅ側に形成した支持面３２で電池ケースＡの底面を押圧支持するので、電池ケースＡの電池収容部Ｂへの嵌め入れを確実に出来る。
【００３４】
図２５、図２６は、電池ケースＫと電池収容部Ｂとの更に別例を示している。
この実施形態では、ベース部Ｃの電池収容部Ｂの前後側壁に一組の係入孔７１、７２を形成し、電池ケースＫには、これらの係入孔７１，７２に対応させて、一組の弾性変形の可能な係止爪８１、８２を形成しており、これらのうちの一方の係止爪８２を電池収容部Ｂより突出させて、そこに指を掛けることで、電池ケースＫを容易に取り外しできるようにしている。
このような構造によれば、電池ケースＫをベース部Ｃの電池収容部Ｂに嵌め込めば、電池ケースＫの係止爪８１、８２が弾性変形して係入孔７１、７２に係入されるので、電池ケースＫの電池収容部Ｂへの嵌め入れをスムーズにでき、電池収容部Ｂへの嵌め入れ後は、電池ケースＫの不用意な脱落を防止することができる。
また、突出した方の係止爪８２に指を掛けて、係止爪８２が係入孔７２から抜け出るように弾性変形させれば、容易に取り外しが出来る。
なお、図２６の（ａ）は、電池ケースＫを電池収容部Ｂに嵌め入れる前の状態、（ｂ）は嵌め入れを完了した状態を示している。
【００３５】
図２７は、電池ケース、電池収容部の更に別の実施形態を示す分解斜視図である。
この例のものでは、電池ケースＦは、先端に通電コネクタ４４を設けた通電ケーブル４３を導出している。
電池収容ケースＦは、通電部材を設けた本体部に、蓋板４１を設けており、電池Ｄを収容した後、蓋板４１を被せて電池パックとして使用する。
一方のベース部Ｃは、前述した実施例と同様に、ワイヤレス送信部を内蔵しており、凹状の電池収容部Ｇが形成され、通電コネクタ２７が対応して設けられているので、このベース部Ｃの通電コネクタ２７に電池ケースＦの通電ケーブル４３の先端に設けたコネクタ４４を接続することによって電気的に通電するように構成されている。
従って、ベース部Ｃには、この凹状の電池収容部Ｇに電池ケースＦが、脱落しないように固定され収容される（脱落防止手段は、図示されていないが、従来公知の種々の形態のものが適用可能である）。
また、図例では、通電ケーブルは、電池収容ケースＦから導出した構造となっているが、
ベース部から導出されたもの、あるいは双方に通電コネクタを設けて、通電ケーブルを双方に対して着脱可能に設けた構造であってもよい。
【００３６】
図２８では、電池ケースを、ワイヤレス送信部と、電池Ｄ、Ｄとを内蔵した内器ブロックＭとして構成し、ベース部Ｃに形成した電池収容部７０に、この内器ブロックＭを嵌め入れるようにしている。
【００３７】
図２９は電池ケースＨを、磁石を用いてベース部Ｃに固定収容させるものである。
図例では、複数の電池を収容した電池ケースＨに磁石２８を取り付け、ベース部Ｃの電池収容部Ｂの底面には鉄板２９を設けているが、電池ケースＨに鉄板２９、電池収容部Ｂに磁石２８を設けてもよい。
このような構造によれば、ベース部Ｃの電池収納部Ｂに、電池ケースＨを収容すると、鉄板２９が磁石２８に吸着するので、電池ケースＨは固定され、脱落が防止される。このような方法では、電池ケースＨ、電池収容部Ｂも単純で簡単な構造にできる。
【００３８】
図３０、図３１は、電池ケースと電池収容部とを組み合わせた、更に別の実施例を示している。
この例では、ベース部Ｃの外周の一方側に、電池ケースＪを収容するための奥行きの深い収容穴部５０を形成して電池収容部を構成している。電池ケースＪは、その内部に前述したものと同様な電池Ｄを収容させている。
電池ケースＪのケース本体６０には、その両側にガイド突条６１、６１を設け、ベース部Ｃ側には、ガイド突条６１、６１が係合するガイド用凹条５１、５１が設けられている。電池ケースＪのケース本体６０をベース部Ｃの収容穴部５０にスライドさせて挿脱させるだけで簡単に取り付け取り外しができ、電池ケースＪの脱落を防止できる。
【図面の簡単な説明】
【００３９】
【図１】本発明に係るワイヤレス機器の実施例を示し、電池ケース、電池収容部の構造を示している。
【図２】電池ケースの一例を示す斜視図である。
【図３】電池ケースの別例を示す斜視図である。
【図４】ベース部とヘッド部とを分離した状態を示す斜視図である。
【図５】ベース部にヘッド部を合体させた状態を示す斜視図である。
【図６】ベース部の裏面図である。
【図７】ベース部の斜視図である。
【図８】ベース部に電池ケースを嵌め入れている状態を示す斜視図である。
【図９】ベース部に電池ケースを嵌め入れている状態を示す概略縦断面図である。
【図１０】ベース部に電池ケースを嵌め入れた状態を示す概略縦断面図である。
【図１１】ベース部の別例の斜視図である。
【図１２】図１１において、ベース部に電池ケースを嵌め入れる前の状態を示す斜視図である。
【図１３】図１１において、ベース部に電池ケースを嵌め入れている状態を示す概略縦断面図である。
【図１４】図１１において、ベース部に電池ケースを嵌め入れた状態を示す概略縦断面図である。
【図１５】ベース部の更に別例の斜視図である。
【図１６】電池ケースの他例を示す斜視図である。
【図１７】図１５において、電池収容部に電池ケースを嵌め入れる前の概略断面図である。
【図１８】図１５において、電池収容部に電池ケースを嵌め入れて固定した状態の概略断面図である。
【図１９】別例におけるベース部とヘッド部の結合前の状態を示す概略断面図である。
【図２０】図１９において、ベース部に電池ケースを結合させた状態を示す概略縦断面図である。
【図２１】更に別例におけるベース部とヘッド部の結合前の状態を示す概略断面図である。
【図２２】図２１において、ベース部に電池ケースを結合させた状態を示す概略縦断面図である。
【図２３】更に別例におけるベース部とヘッド部の結合前の状態を示す概略断面図である。
【図２４】図２３において、ベース部に電池ケースを結合した状態を示す概略縦断面図である。
【図２５】更に別例における電池ケースと電池収容部の構造を示す斜視図である。
【図２６】図２５において、電池収容部に電池ケースを嵌め入れる要領を示した概略縦断面図である。
【図２７】更に別例における電池ケースとベース部とを示す斜視図である。
【図２８】更に別例における電池ケースとベース部とを示す斜視図である。
【図２９】更に別例における電池ケースとベース部とを示す概略縦断面図である。
【図３０】更に別例における電池ケースとベース部とを示す斜視図である。
【図３１】図３０において、電池ケースとベース部とを示す概略縦断面図である。
【図３２】従来のワイヤレス機器における電池収容例を示す図である。
【符号の説明】
【００４０】
Ａ、Ｋ、Ｆ、Ｎ、Ｈ，Ｊ    電池ケース
Ｍ    内器ブロック
Ｂ、Ｇ      電池収容部
Ｃ      ベース部
Ｄ      電池
Ｅ      ヘッド部
１１    ケース本体
１２    開口孔
１２Ａ  誘い込みリブ
１４    係止部
１５    取り外し突片
１７    通電端子
１８    突片
２１    保持枠
２１ａ  孔部
２１ｂ  傾斜部（押さえリブ）
２１ｃ  傾斜部（開口縁）
２２ａ  支持面
２１ｄ  通電端子
２３    バネ受け止め部
２４    係止受け部
２５    導電性押えバネ
２５´  押さえバネ
２６    取付孔
２７    通電コネクタ
２８    磁石
２９    鉄板
３０ａ  孔部
４３    通電ケーブル
４４    通電コネクタ
７０    収容穴部
７１、７２    係入孔
８１、８２    係止爪
【図１】
2005267436.tif 000003
【図２】
2005267436.tif 000004
【図３】
2005267436.tif 000005
【図４】
2005267436.tif 000006
【図５】
2005267436.tif 000007
【図６】
2005267436.tif 000008
【図７】
2005267436.tif 000009
【図８】
2005267436.tif 000010
【図９】
2005267436.tif 000011
【図１０】
2005267436.tif 000012
【図１１】
2005267436.tif 000013
【図１２】
2005267436.tif 000014
【図１３】
2005267436.tif 000015
【図１４】
2005267436.tif 000016
【図１５】
2005267436.tif 000017
【図１６】
2005267436.tif 000018
【図１７】
2005267436.tif 000019
【図１８】
2005267436.tif 000020
【図１９】
2005267436.tif 000021
【図２０】
2005267436.tif 000022
【図２１】
2005267436.tif 000023
【図２２】
2005267436.tif 000024
【図２３】
2005267436.tif 000025
【図２４】
2005267436.tif 000026
【図２５】
2005267436.tif 000027
【図２６】
2005267436.tif 000028
【図２７】
2005267436.tif 000029
【図２８】
2005267436.tif 000030
【図２９】
2005267436.tif 000031
【図３０】
2005267436.tif 000032
【図３１】
2005267436.tif 000033
【図３２】
2005267436.tif 000034